(57)【特許請求の範囲】
【請求項１】
左側面板、正面板、右側面板、背面板からなる筒状の胴部と、前記正面板の下端に底面板と、該底面板の左右端部に左折返し片と右折返し片を有し、前記左側面板と前記右側面板の下端にはそれぞれ左折込み片と右折込み片を有し、
前記左折返し片と前記左折込み片、及び、前記右折返し片と前記右折込み片はそれぞれ、斜め折罫を介して連続して設けられ、前記背面板の下端に床面板が設けられ、該床面板を内方に折込み、前記左折込み片と前記右折込み片を内方に折り込み、前記左折返し片と前記右折返し片をそれぞれ、前記斜め折罫より折って、前記左折込み片と前記右折込み片に重ね合わせて、前記底面板にて前記筒状の胴部の下端を閉鎖したときに、前記左折返し片と前記右折返し片が重なり合っており、
正面板の上端には、正面屋根板が設けられ、正面屋根板の上端に正面折込み板と正面折返し板、蓋差込み板が順次設けられており、蓋差込み板には、正面折返し板との間の折罫から両端を発する切り込みにより、係止片が設けられており、背面板の上端には、背面屋根板が設けられ、背面屋根板の上端には折り曲げ板が設けられ、背面屋根板と折り曲げ板の間の折罫線上に、係止片を差し込んで係止する係止孔が設けられており、左側面板の上端には左三角板が設けられ、左三角板の上部の２辺から、それぞれ左折返し片が設けられていて、左折返し片は背面屋根板に、左折返し片は正面屋根板に、折罫を介してそれぞれ接続しており、同様に、右側面板の上端には右三角板が設けられ、右三角板の上部の２辺から、それぞれ右折返し片が設けられていて、右折返し片は正面屋根板に、折罫を介して接続しており、正面折込み板を正面屋根板に沿うように折り曲げられており、正面折返し板を正面折込み板に沿うように折り返されており、折り曲げ板を背面屋根板に沿うように折り曲げられ、左三角板と右三角板とがこれを押し込むように倒されており、蓋差込み板が背面屋根板と折り曲げ板が重なった内側に差し込まれており、更に、係止片が係止孔に差し込まれている
ことを特徴とする包装箱。
【請求項２】
前記底面板の下端に差込片を設け、前記左折込み片と前記右折込み片に重ね合わせて、前記底面板にて前記筒状の胴部の下端を閉鎖したときに、前記差込片が前記背面板の内側に沿って差し込めるようになっていることを特徴とする請求項１に記載の包装箱。
【発明の詳細な説明】
【技術分野】
【０００１】
本発明は、包装箱に関するものである。
【背景技術】
【０００２】
従来から、菓子食品類や医薬品や化粧品、玩具類、日用品などを収納して、収納された商品を保護し輸送するために、包装箱が広く用いられている。中身が袋入りや、ビンや缶に入っているもの、また、ある程度の大きさのものの場合は、底部などは組み立ててあるだけであるが、収納物が液体の場合はヒートシールなどによって、液体が漏れないようになされている。
【０００３】
収納物が顆粒などの粒状の場合は、液体などと同様に底部をヒートシールによって形成する場合がある。収納物のメーカーでヒートシールにより製函するのには、収納物のメーカーにヒートシールできる製函機が必要になり、形状やサイズが特定されていて、大量に生産される液体用紙容器などでは問題が無いが、包装箱の形状やサイズが各種あって少量多品種の包装箱を製函する場合は、それぞれに合わせて製函機を用意しなければならない。
【０００４】
一方、ヒートシールせずに製函できる包装用筒状箱もある。この包装用筒状箱は、図５のように、包装用筒状箱３００の三辺３１、３２、３３から端部一体的に蓋構成片３４、３５、３６が連接されている。
【０００５】
蓋構成片の内対向する蓋構造片の中央の蓋構造片３５との連設部と、同じく対向する蓋構造片３４、３６の箱本体対向側壁３７、３８との連設部との交叉部３９から対角線上に折曲部４０、４０設けられている。
【０００６】
また、対向する蓋構造片３４、３６の遊変角部を正方形状に切り欠き、更に中央の蓋構造片３５の残りの側辺には、重合舌片４１が連設されている。
【０００７】
この構造により、蓋閉塞時、対向する蓋構造片３４、３６が、折曲部４０、４０によってそれぞれ折曲し、折曲重合状態における対向する蓋構造片の隣接部が互いに近接し合うようになっている（特許文献１）。
【０００８】
この包装用筒状箱では、蓋部分の構造であるが、ヒートシールする必要は無く汎用性があるが、対向する蓋構造片の隣接部が互いに近接しているだけであるので、中に入れた粒状の収納物がこぼれてしまう恐れがある。
【０００９】
公知文献を以下に示す。
【先行技術文献】
【特許文献】
【００１０】
【特許文献１】実開昭４８−５６２２４号公報
【発明の概要】
【発明が解決しようとする課題】
【００１１】
本発明は上記した事情に鑑みてなされたもので、ヒートシールすることなく組み立てることができ、粒状の収納物を収納しても、漏れ出すことが無く、異物が混入することの無い底部構造を有する包装箱を提供することを課題としている。
【課題を解決するための手段】
【００１２】
本発明は上記課題に鑑みなされたものであり、請求項１に係る発明は、
左側面板、正面板、右側面板、背面板からなる筒状の胴部と、前記正面板の下端に底面板と、該底面板の左右端部に左折返し片と右折返し片を有し、前記左側面板と前記右側面板の下端にはそれぞれ左折込み片と右折込み片を有し、
前記左折返し片と前記左折込み片、及び、前記右折返し片と前記右折込み片はそれぞれ、斜め折罫を介して連続して設けられ、前記背面板の下端に床面板が設けられ、該床面板を内方に折込み、前記左折込み片と前記右折込み片を内方に折り込み、前記左折返し片と前記右折返し片をそれぞれ、前記斜め折罫より折って、前記左折込み片と前記右折込み片に重ね合わせて、前記底面板にて前記筒状の胴部の下端を閉鎖したときに、前記左折返し片と前記右折返し片が重なり合っており、
正面板の上端には、正面屋根板が設けられ、正面屋根板の上端に正面折込み板と正面折返し板、蓋差込み板が順次設けられており、蓋差込み板には、正面折返し板との間の折罫から両端を発する切り込みにより、係止片が設けられており、背面板の上端には、背面屋根板が設けられ、背面屋根板の上端には折り曲げ板が設けられ、背面屋根板と折り曲げ板の間の折罫線上に、係止片を差し込んで係止する係止孔が設けられており、左側面板の上端には左三角板が設けられ、左三角板の上部の２辺から、それぞれ左折返し片が設けられていて、左折返し片は背面屋根板に、左折返し片は正面屋根板に、折罫を介してそれぞれ接続しており、同様に、右側面板の上端には右三角板が設けられ、右三角板の上部の２辺から、それぞれ右折返し片が設けられていて、右折返し片は正面屋根板に、折罫を介して接続しており、正面折込み板を正面屋根板に沿うように折り曲げられており、正面折返し板を正面折込み板に沿うように折り返されており、折り曲げ板を背面屋根板に沿うように折り曲げられ、左三角板と右三角板とがこれを押し込むように倒されており、蓋差込み板が背面屋根板と折り曲げ板が重なった内側に差し込まれており、更に、係止片が係止孔に差し込まれている
ことを特徴とする包装箱である。
【００１３】
本発明の包装箱は、以上のような構成であって、床面板が設けられ、左折込み片と右折込み片が重なり合っているので、ヒートシールすることなく組み立てることができ、粒状の物品を収納しても、底部から漏れ出すことが無く、異物が混入することも無い。
【００１４】
本発明の請求項２に係る発明は、前記底面板の下端に差込片を設け、前記左折込み片と前記右折込み片に重ね合わせて、前記底面板にて前記筒状の胴部の下端を閉鎖したときに、前記差込片が前記背面板の内側に沿って差し込めるようになっていることを特徴とする請求項１に記載の包装箱である。
【００１５】
本発明は、底面板の下端に差込片を設け、左折返し片と右折返し片をそれぞれ、斜め折罫より折って、左折込み片と右折込み片に重ね合わせて、底面板にて筒状の胴部の下端を閉鎖したときに、差込片が背面板の内側に沿って差し込めるようになっているので、ヒートシールすることなく、簡単に組み立てることができる。
【発明の効果】
【００１６】
本発明の包装箱は、ヒートシールすることなく組み立てることができ、粒状の物品を収納しても、底部から漏れ出すことが無く、異物が混入することも無い。
【図面の簡単な説明】
【００１７】
【図１】本発明の包装箱の一例の展開図である。
【図２】本発明の包装箱の一例の底部を組み立てる状態を模式的に示した説明図である。
【図３】本発明の包装箱の一例の上部を縦に正面板と背面板の中央から切断した断面を模式的に示した説明図である。
【図４】本発明の包装箱の一例を斜め後方から見た模式的な説明図である。
【図５】従来の包装箱の一例を斜視した模式的な説明図である。
【発明を実施するための形態】
【００１８】
以下本発明を実施するための形態につき説明する。
図１は、本発明の包装箱の一例の展開図である。
【００１９】
本発明の一例の包装箱１００は、図１の展開図のようなブランク２００を組み立てて作成する。
【００２０】
ブランク２００には、正面板１の左側に左側面板２、右側に右側面板３が連設され、左側面板２の左側には背面板４と糊代片５が順次設けられている。糊代片５を右側面板３の内面に貼着することにより、筒状の胴部が形成されるようになっている。
【００２１】
正面板１の下端には底面板６が、更に底面板６の下端には横に並んだ２つの小さな差込み片７、７が設けられている。また、底面板６の左右端部には左折返し片８と右折返し片９がそれぞれ設けられている。更に、左側面板２と右側面板３の下端にはそれぞれ左折込み片１０と右折込み片１１が設けられている。
【００２２】
左折返し片８と左折込み片１０、及び、右折返し片９と右折込み片１１は、それぞれ、正面板１の下端の隅より斜め外方に向かう、斜め折罫１２、１２を介して連続して設けられている。
【００２３】
正面板１の上端には、正面屋根板１３が設けられ、正面屋根板１３の上端に正面折込み板１４と正面折返し板１５、蓋差込み板１６が順次設けられている。また、蓋差込み板１６には、正面折返し板１５との間の折罫から両端を発する切り込みにより、係止片１７が設けられている。
【００２４】
背面板４の下端には、床面板１８が設けられている。床面板１８の背面板４との接続部分は幅が狭くなっていて、底面板６の下端に設けられた２つの小さな差込み片７、７が、この狭くなっている接続部分を挟んで差し込むことによって、背面板４に沿って差し込まれ、係止できるようになっている。
【００２５】
背面板４の上端には、背面屋根板１９が設けられ、背面屋根板１９の上端には折り曲げ板２０が設けられ、背面屋根板１９と折り曲げ板２０の間の折罫線上に、係止片１７を差し込んで係止する係止孔２１が設けられている。また、背面屋根板１９の左端には上部糊代片２２が設けられている。
【００２６】
左側面板２の上端には左三角板２３が設けられ、左三角板２３の上部の２辺から、それぞれ左折返し片２４ａ、２４ｂが設けられていて、左折返し片２３ａは背面屋根板１９に、左折返し片２３ｂは正面屋根板１３に、折罫を介してそれぞれ接続している。
【００２７】
同様に、右側面板３の上端には右三角板２５が設けられ、右三角板２５の上部の２辺から、それぞれ右折返し片２６ａ、２６ｂが設けられていて、右折返し片２６ａは正面屋根板１３に、折罫を介して接続している。また、右折返し片２６ｂは胴部を筒状にするときに、その内側に上部糊代片２２が貼着されて、背面屋根板１９に接続するようになっている。
【００２８】
図２は、本発明の包装箱の一例の底部を組み立てる状態を模式的に示した説明図である。図３は、本発明の包装箱の一例の上部を縦に正面板と背面板の中央から切断した断面を模式的に示した説明図である。図４は、本発明の包装箱の一例を斜め後方から見た模式的な説明図である。
【００２９】
本例の包装箱を組み立てるには、まず、左側面板２と背面板４の間を山折し、次に正面板１と右側面板３の間を山折し、糊代片５の外面を右側面板３の内面に接着剤などを介して貼着する。このとき同様に、上部糊代片２２の外面を右折返し片２５ｂの内面に接着剤などを介して貼着する。尚、この状態で包装材メーカーから収納物のメーカーに納入される。
【００３０】
貼着後、背面板４と糊代片５の間を山折し、また、正面板１と左側面板２の間を山折し、胴部を筒状にする。また、胴部より上部も筒状にする。
【００３１】
この胴部が筒状になった包装箱１００の底部を組み立てる。まず、床面板１８を内方に倒す。次に、斜め折罫１２、１２を内側に押し込み、左折込み片１０と右折込み片１１を
倒していく、このとき斜め折罫１２、１２で谷折されて、左折返し片８と右折返し片９もそれぞれ左折込み片１０と右折込み片１１に重なるように倒れていく、そして、左折返し片８と右折返し片９が、図２のように、その先端部分で重なり合う。
【００３２】
本例では、折り重ねられる右折返し片９と左折込み片１０が、折り重ねられる左折返し片８と左折込み片１０の間に包まれるように重なり合う。そして差込み片７を背面板４の内側に沿うように差し込み、底面板６で胴部下端の開口部を閉鎖する。
【００３３】
これにより、底部が形成されたので収納物を充填できるようになる。このように、床面板１８が設けられ、そこに、右折返し片９と左折込み片１０が、左折返し片８と左折込み片１０の間に包まれるように重なり合う構造になっていて、更に底面板６が重なるので、嵌合が確実になり、密封性が高まり、粒状の収納物を収納しても、底部から漏れ出すことが無く、異物が混入することも防げる。
【００３４】
次に、胴部より上部を形成する。正面折込み板１４を正面屋根板１３に沿うように折り、正面折返し板１５を正面折込み板１４に沿うように折り返す。また、折り曲げ板２０を背面屋根板１９に沿うように折り曲げる。
【００３５】
次に、左三角板２３と右三角板２５を押し込むように倒していく、このとき、左折返し片２４ａ、２４ｂや右折返し片２６ａ、２６ｂは、左三角板２３あるいは右三角板２５との間で谷折されて折り返される。
【００３６】
蓋差込み板１６を背面屋根板１９と折り曲げ板２０が重なった内側に差し込み、更に、係止片１７を係止孔２１に差し込みことにより、図３の断面図のように、上部が組み立てられ、図４のような、包装箱１００の組み立てが完了する。
【００３７】
このように上部が形成されているので、上部も密封性が高く粒状の収納物を収納しても、上部から漏れ出すことが無く、異物が混入することも防げる。
【００３８】
以上のように、本発明の包装箱は、ヒートシールすることなく簡単に組み立てることができ、粒状の収納物を収納しても、底部から漏れ出すことが無く、異物が混入することもない。
【００３９】
ヒートシールすることがないため、糊代片５や上部糊代片２２を貼着して、筒状を押しつぶしたサック状にした状態で、包装工場などに搬送でき、輸送費や倉庫代も削減でき、また、ヒートシールによる製函機を用いることなく簡単な機械で組み立てることができるので、設備費用をあまりかける必要もない。
【符号の説明】
【００４０】
１００・・・包装箱
２００・・・ブランク
１・・・正面板
２・・・左側面板
３・・・右側面板
４・・・背面板
５・・・糊代片
６・・・底面板
７・・・差込み片
８・・・左折返し片
９・・・右折返し片
１０・・・左折込み片
１１・・・右折込み片
１２、１２・・・斜め折罫
１３・・・正面屋根板
１４・・・正面折込み板
１５・・・正面折返し板
１６・・・蓋差込み板
１７・・・係止片
１８・・・床面板
１９・・・背面屋根板
２０・・・折り曲げ板
２１・・・係止孔
２２・・・上部糊代片
２３・・・左三角板
２４ａ、２４ｂ・・・左折返し片
２５・・・右三角板
２６ａ、２６ｂ・・・右折返し片
３００・・・包装用筒状箱
３１、３２、３３・・・辺
３４、３５、３６・・・蓋構成片
３７、３８・・・箱本体対向側壁
３９・・・交叉部
４０、４０・・・折曲部
４１・・・重合舌片
【図１】
0006171524.tif 000002
【図２】
0006171524.tif 000003
【図３】
0006171524.tif 000004
【図４】
0006171524.tif 000005
【図５】
0006171524.tif 000006